(57)【要約】【課題】画像形成装置で印刷時に表示する広告において、ユーザに対してより高い広告効果を得ることを可能にする。【解決手段】画像データに基づいてキーワードを抽出する画像解析部１０４と、抽出したキーワード及び画像形成装置１００のロケーション情報の少なくとも一方に基づいて関連性の高い広告及び前記広告の内容に関するクイズを選択する広告選択部１０７と、選択した広告及びクイズを表示する画面表示部１０８と、選択した広告及びクイズに応じて前記画像データに基づく画像処理を実行する画像形成部１０５と、を備える。【選択図】図１
2014142476.tif 000002
【特許請求の範囲】
【請求項１】
画像データに基づいてキーワードを抽出する画像解析部と、
抽出したキーワード及び画像形成装置のロケーション情報の少なくとも一方に基づいて関連性の高い広告及び前記広告の内容に関するクイズを選択する広告選択部と、
選択した広告及びクイズを表示する画面表示部と、
選択した広告及びクイズに応じて前記画像データに基づく画像処理を実行する画像形成部と、
を備えることを特徴とする画像形成装置。
【請求項２】
クイズの回答を入力する回答入力手段と、
クイズの回答が正しいか否かを判断する正誤判断部とを備え、
クイズに正解した場合に、実行する画像処理の代金、及び、前記画像形成装置の消耗品の購入に充てられるポイントの少なくともいずれか一つを、ユーザに与えることを特徴とする請求項１に記載の画像形成装置。
【請求項３】
原稿を光学的に読み取って画像データを生成する画像読取部を備え、前記画像解析部が解析する画像データは、前記画像読取部により読み取られた原稿の画像データであることを特徴とする請求項１又は２に記載の画像形成装置。
【請求項４】
ネットワーク又は外部の記憶媒体とのインターフェイスを備え、前記画像解析部が解析する画像データは、前記インターフェイスを経由して入力された画像データであることを特徴とする請求項１から３のいずれか１項に記載の画像形成装置。
【請求項５】
画像データに基づいてキーワードを抽出する画像解析ステップと、
抽出したキーワード及び画像形成装置のロケーション情報の少なくとも一方に基づいて関連性の高い広告及び前記広告の内容に関するクイズを選択する広告選択ステップと、
選択した広告及びクイズを表示する画面表示ステップと、
選択した広告及びクイズに応じて前記画像データに基づく画像処理を実行する画像形成ステップと、
を含むことを特徴とする画像形成装置の制御方法。
【発明の詳細な説明】
【技術分野】
【０００１】
本発明は、画像形成装置及びその制御方法に関し、特に、画像形成装置に広告を表示させる技術に関する。
【背景技術】
【０００２】
画像形成装置を用いて印刷物を出力するにはインクやトナー代、紙代等のランニングコストが必要となる。このランニングコストが障害となり、ユーザは積極的に画像形成装置を使用することができない。そこで画像形成装置に備えられた画面に広告を表示することでその広告費から印刷にかかるランニングコストをユーザにキャッシュバックするというアイデアがあり、そのためのシステムが既に知られている（例えば、特許文献１）。
【０００３】
また、広告を実施する方法として、動画像からなる広告を表示した後に連続してその広告に関するクイズを表示し、そのクイズに正解したユーザに何らかのインセンティブを与えることでユーザにより深く広告を認知させるというシステムが既に知られている（例えば、特許文献２）。
【発明の概要】
【発明が解決しようとする課題】
【０００４】
しかしながら、今までの画面に広告を表示することで印刷にかかるランニングコストを広告費からキャッシュバックするシステムでは、ユーザが印刷中に広告を注視しない可能性があり、期待する広告効果を得られないという問題があった。
【０００５】
また、広告の表示後にその広告に関するクイズを行い、それに正解することで何らかのインセンティブを与えるというシステムには、画像形成装置と組み合わせて用いるというものは考えられておらず、画像形成装置を用いた場合の課金方法や、印刷内容・画像形成装置のロケーション情報等からユーザに最適な広告を選択する方法といった内容が開示されていないという問題があった。
【０００６】
本明細書は、広告を表示することで印刷のランニングコストをキャッシュバックする画像形成装置においてユーザへの広告効果を高めること、広告に関するクイズを行い、正解したユーザにインセンティブを与えるシステムを画像形成装置での広告表示おいて実施するにあたり、課金方法や印刷内容・画像形成装置のロケーション情報等からユーザに最適な広告を選択する方法といった内容を開示する。
【０００７】
特許文献１には、印刷に関わるランニングコストを抑える、広告によるユーザの嫌悪感を招かないようにする目的で、印刷時に画面に広告を表示することで広告費によって印刷に関わるランニングコストをキャッシュバックし、さらに印刷物に広告を印刷しないことでユーザの嫌悪感を招かないようにする構成が開示されている。
【０００８】
本願とは、印刷時に広告を画面に表示させる点で関連性がある。しかしながら、ユーザが広告に注視しない可能性があり、広告効果が低いという問題は解消できていない。
【０００９】
特許文献２には、ユーザに広告をより深く認知させる目的で、広告を表示した後に広告の内容に関連するクイズを表示し、そのクイズに正解したユーザに何らかのインセンティブを与えるという構成が開示されている。
【００１０】
本願とは、広告を表示した後に広告の内容に関するクイズを表示し正解したユーザに印刷代をキャッシュバックするという点で関連性がある。しかしながら、画像形成装置と組み合わせて用いる場合の課金方法や印刷内容・画像形成装置のロケーション情報等からユーザに最適な広告を選択する方法といった内容が開示されていないという問題は解消できていない。
【００１１】
本発明は、上記実情に鑑みてなされたものであって、画像形成装置で印刷時に表示する広告において、ユーザに対してより高い広告効果を得ることを可能にすることを目的とする。
【課題を解決するための手段】
【００１２】
上記目的を達成するために本発明は、画像データに基づいてキーワードを抽出する画像解析部と、抽出したキーワード及び画像形成装置のロケーション情報の少なくとも一方に基づいて関連性の高い広告及び前記広告の内容に関するクイズを選択する広告選択部と、選択した広告及びクイズを表示する画面表示部と、選択した広告及びクイズに応じて前記画像データに基づく画像処理を実行する画像形成部と、を備えることを特徴とする。
【発明の効果】
【００１３】
本発明によれば、画像形成装置で印刷時に表示する広告において、ユーザに対してより高い広告効果を得ることが可能になる。
【図面の簡単な説明】
【００１４】
【図１】本発明の実施の形態による画像形成装置全体の構成を示すブロック図である。
【図２】上記画像形成装置の処理の流れを示すフローチャートである。
【図３】変形実施形態による画像形成装置全体の構成を示すブロック図である。
【図４】上記画像形成装置の処理の流れを示すフローチャートである。
【図５】変形実施形態による画像形成装置全体の構成を示すブロック図である。
【図６】上記画像形成装置の処理の流れを示すフローチャートである。
【発明を実施するための形態】
【００１５】
以下の実施形態では、広告表示に関して、要するに、印刷時に、印刷内容・画像形成装置のロケーション情報等からユーザに対してより適していると選択された広告を表示し、さらにその広告に注視しなければ広告の後に表示されるクイズに正解することができず、印刷代のキャッシュバックを受けることができないことが特徴になっている。
【００１６】
図１は、本発明の実施の形態による画像形成装置全体の構成を示すブロック図である。例えばこの画像形成装置１００をコンビニエンスストア等に設置する。以下、図中の各部ロックについて説明する。
【００１７】
料金投入部１０１は、ユーザが原稿のコピーをする際にその代金を投入する部分である。料金返却部１０２は、ユーザが広告クイズに正解した場合に、コピー代金の全部もしくは一部を返却する部分である。画像読取部１０３は、ユーザが原稿を画像形成装置１００に読み取らせる部分である。画像読取部１０３は、原稿の画像を光学的に読み取り画像データを生成する。画像解析部１０４は、ユーザが読み取らせた原稿の内容をＯＣＲ等を用いて解析する部分である。これによって原稿のキーワードを抽出する。
【００１８】
画像形成部１０５は、入力された画像データに基づいて紙に画像を印刷する部分である。広告保存部１０６は、画面表示部１０８に表示する広告を保存しておく部分である。広告は画像もしくは動画であり、広告の内容に関するクイズも保存してある。これらの広告及びクイズはネット回線を通して広告が保存されているサーバ２００から更新することが可能となっている。
【００１９】
広告選択部１０７は、画像解析部１０４によって抽出された原稿のキーワードに最も関連のある広告、もしくは画像形成装置１００のロケーション情報に関連付けられた広告を選択する部分である。画面表示部１０８は、広告選択部１０７によって選択された広告及びクイズや画像形成装置１００の設定等を表示する液晶等の画面である。
【００２０】
回答入力手段１０９は、ユーザが広告クイズに対する回答を入力するための手段であり、タッチパネルや物理的なキー等である。正誤判断部１１０は、ユーザが広告クイズに対して入力した回答の正誤を判断する部分である。制御部１１２は、画像形成装置１００の各部を制御する部分である。
【００２１】
図２に、画像形成装置１００の動作の流れを示す。ユーザが料金投入部１０１に所定のコピー代金を投入し（Ｓ１０１）、コピーしたいものを画像読取部１０３で読み取らせる（Ｓ１０２）。その読み取った画像をＯＣＲ等を行って解析し、キーワードを抽出する（Ｓ１０３）。そのキーワードに関連する広告もしくは画像形成装置１００のロケーション情報に関連する広告を広告保存部１０６から読み込んで表示し、印刷を開始する（Ｓ１０４〜Ｓ１０６）。広告は動画もしくは画像で表示され、広告の表示が終了するとその広告の内容に関するクイズが表示される（Ｓ１０７）。クイズに正解すると投入したコピー代金の全部もしくは一部が返金される（Ｓ１０８〜Ｓ１１０）。
【００２２】
以上、本実施形態は、広告を表示することで印刷のランニングコストをキャッシュバックする画像形成装置１００においてユーザへの広告効果を高めることについて開示した。また、広告に関するクイズを行い、正解したユーザにインセンティブを与えるシステムを画像形成装置１００での広告表示おいて実施するにあたり、課金方法や印刷内容・画像形成装置１００のロケーション情報等からユーザに最適な広告を選択する方法などについても開示した。
【００２３】
本実施形態によると、印刷時に、印刷内容・画像形成装置１００のロケーション情報等からユーザに対してより適していると選択された広告を表示し、さらにその広告に注視しなければ広告の後に表示されるクイズに正解することができず、印刷代のキャッシュバックを受けることができない。そのため、画像形成装置１００で印刷時に表示する広告において、ユーザに対してより高い広告効果を得ることができる。
【００２４】
なお、図２では、広告表示（Ｓ１０５）の後、画像形成（Ｓ１０６）が行われているが、どちらが先でも、両方の動作が同時に行われてもよい。
【００２５】
以下、上記実施形態の変形実施形態について説明する。図３に構成を示す変形実施形態は、図４に示すような動作をする。この変形実施形態においては、料金投入部１０１、料金返却部１０２は必要ないが、ユーザ情報入力部１１３が必要となる。
【００２６】
前述の実施例ではコピー開始前に所定のコピー代金を入れ、広告クイズに正解した場合のみ料金を返却することでキャッシュバックを可能としているが、この構成では例えば家や会社でのコピーでは実施できない。そこでユーザに例えばポイントカードやウェブ上のアカウントに登録させ、コピー前にそのカード情報やアカウント情報をユーザ情報入力部１１３から画像形成装置１００に読み込ませ（Ｓ１０１ａ）、広告クイズに正解した場合のみに、そのカードやアカウントに対してインクや紙の購入のみに使えるポイントを付与する（Ｓ１１０ａ）という構成をとる。そうすることでコピー時に料金を必要としないシステムでもキャッシュバックを実施できる。
【００２７】
また、この方法でキャッシュバックを実施する場合、カードやアカウントに登録されているユーザを特定する生年月日や性別、職業、通学する学校名等の個人情報をそれらのデータが保存されているサーバ２００から読み込むことで、広告選択の元となる情報として使用することができる。
【００２８】
図５に構成を示す変形実施形態は、図６に示すような動作をする。前述の実施例には画像を読み込ませ、読み取った画像に対して解析を行い、印刷するという構成になっているが、ＰＣ２０１、ネット上のサーバ２００、ＳＤカード（登録商標）やＵＳＢメモリ等の外部記憶媒体２０２から読み込んだ画像に対しても対応する構成とすることで、画像読取部１０３のないプリンタでも実施できる。
【００２９】
図５においては、そのような構成として、ネットワークインターフェイス１１１、画像データ受信部１１４、外部記憶媒体読込部１１５を備える。ネットワークインターフェイス１１１、画像データ受信部１１４、外部記憶媒体読込部１１５は、外部の情報記憶媒体や外部装置とのインターフェイスである。図６に示すように、原稿の画像の読取を行う代替として、画像データの入力を行う（Ｓ１０２ａ）。
【符号の説明】
【００３０】
１００    画像形成装置
１０１    料金投入部
１０２    料金返却部
１０３    画像読取部
１０４    画像解析部
１０５    画像形成部
１０６    広告保存部
１０７    広告選択部
１０８    画面表示部
１０９    回答入力手段
１１０    正誤判断部
１１１    ネットワークインターフェイス
１１３    ユーザ情報入力部
１１４    画像データ受信部
１１５    外部記憶媒体読込部
【先行技術文献】
【特許文献】
【００３１】
【特許文献１】特開２００２−０８６８１６号公報
【特許文献２】特開２００２−１８３５９０号公報
【図１】
2014142476.tif 000003
【図２】
2014142476.tif 000004
【図３】
2014142476.tif 000005
【図４】
2014142476.tif 000006
【図５】
2014142476.tif 000007
【図６】
2014142476.tif 000008